(57)【要約】【課題】無線センサ通信機の設置場所や設置方法の制限を大幅に解消できる構成簡単で低価格の無線センサシステムを提供することを目的とする。【解決手段】１つ又は複数の無線センサ通信機１と集中管理装置３とを有する無線センサシステムであって、無線センサ通信機１は、指向性アンテナと、第１の通信部と、第１の制御部と、第１のメモリ部とを有し、集中管理装置３は、アンテナと、第２の通信部と、第２の通信部で受信した無線信号の受信電力レベルを検知するレベル検知部と、受信電力レベルから無線センサ通信機１の状態を認識する第２の制御部と、第２のメモリ部と、表示部とを有し、第２の制御部は、受信電力レベルが変化した時、無線センサ通信機１は次の状態へ移行したと認識する。【選択図】  図１
2004185383.tif 000002
【特許請求の範囲】
【請求項１】
１つ又は複数の無線センサ通信機と集中管理装置とを有する無線センサシステムであって、
前記無線センサ通信機は、無線信号の送受信を行う指向性アンテナと、無線信号によって通信を行う第１の通信部と、全体の制御を行う第１の制御部と、プログラムやデータを格納する第１のメモリ部とを有し、
前記集中管理装置は、無線信号の送受信を行うアンテナと、前記無線センサ通信機と無線通信を行う第２の通信部と、前記第２の通信部で受信した無線信号の受信電力レベルを検知するレベル検知部と、全体の制御を行うと共に前記レベル検知部の受信電力レベルから前記無線センサ通信機の状態を認識する第２の制御部と、プログラムやデータを格納する第２のメモリ部と、前記第２の制御部で認識した管理対象機器の状態結果などを表示する表示部とを有し、
前記第２の制御部は、前記レベル検知部の受信電力レベルが変化した時、前記無線センサ通信機は次の状態へ移行したと認識することを特徴とする無線センサシステム。
【請求項２】
前記アンテナは偏波面の異なる複数のアンテナであり、前記複数のアンテナのそれぞれで受信を行い、前記第２の制御部は、前記複数のアンテナのそれぞれにおける受信電力レベルの変動から前記無線センサ通信機の状態を認識することを特徴とする請求項１に記載の無線センサシステム。
【請求項３】
前記無線センサ通信機は複数の状態を有し、前記第２の制御部は、前記無線センサ通信機の各状態における受信電力レベル検知結果を前記表示部に表示させることを特徴とする請求項１に記載の無線センサシステム。
【請求項４】
前記集中管理装置は、前記無線センサ通信機の状態検知を開始または終了する切換スイッチを有し、前記第２の制御部は、前記切換スイッチが開始になっている場合にのみ前記無線センサ通信機からの受信電力レベルを検知することを特徴とする請求項１に記載の無線センサシステム。
【請求項５】
前記切換スイッチは、前記集中管理装置が配置された部屋の出入り口の鍵の閉、開に応じて開始、終了状態になることを特徴とする請求項４に記載の無線センサシステム。
【請求項６】
前記無線センサ通信機は、指向性固定のアンテナを有し、前記第１の通信部の送信出力レベルを複数段階に変動させることができる出力可変部と、前記管理対象機器の状態変動を検知する状態変動検知部とを備え、
前記第１の制御部は、前記状態変動検知部での検知状態に応じて前記第１の通信部における送信出力レベルを変化させ、前記第２の制御部は、前記無線センサ通信機からの電波に対する受信電力レベルから前記管理対象機器の状態を認識することを特徴とする請求項１に記載の無線センサシステム。
【請求項７】
前記状態変動検知部は、前記管理対象機器の電流値を検知し、前記検知した電流値に応じて前記第１の通信部における送信出力レベルを変化させ、前記第２の制御部は、前記無線センサ通信機からの電波に対する受信電力レベルから前記管理対象機器の状態を認識することを特徴とする請求項６に記載の無線センサシステム。
【請求項８】
前記状態変動検知部は、前記管理対象機器または前記管理対象機器周辺の温度値を検知し、前記検知した温度値に応じて前記第１の通信部における送信出力レベルを変化させ、前記第２の制御部は、前記無線センサ通信機からの電波に対する受信電力レベルから前記管理対象機器の状態を認識することを特徴とする請求項６に記載の無線センサシステム。
【請求項９】
前記状態変動検知部は、前記管理対象機器または前記管理対象機器周辺の光度値を検知し、前記検知した光度値によって前記第１の通信部における送信出力レベルを変化させ、前記第２の制御部は、前記無線センサ通信機からの電波に対する受信電力レベルから前記管理対象機器の状態を認識することを特徴とする請求項６に記載の無線センサシステム。
【請求項１０】
前記状態変動検知部は、前記管理対象機器または前記管理対象機器周辺の風量値を検知し、前記検知した風量値によって前記第１の通信部における送信出力レベルを変化させ、前記第２の制御部は、前記無線センサ通信機からの電波に対する受信電力レベルから前記管理対象機器の状態を認識することを特徴とする請求項６に記載の無線センサシステム。
【請求項１１】
前記集中管理装置は、無線または有線によって使用環境外部へ管理状態を通信する外部通信部を有し、前記外部通信部は、使用環境外部へ管理状態結果を通信することができることを特徴とする請求項１乃至１０のいずれか１に記載の無線センサシステム。
【請求項１２】
通信可能な表示装置を備え、
前記集中管理装置は無線または有線によって他の場所へ管理状態を転送する外部通信部を有し、
前記表示装置は、前記外部通信部によって転送されてきた管理状態を表示することを特徴とする請求項１乃至１０のいずれか１に記載の無線センサシステム。
【発明の詳細な説明】
【０００１】
【発明の属する技術分野】
本発明は、家庭や事務所などのセキュリティシステムにおいてドアや栓などの状態を検知する無線センサシステムに関するものである。
【０００２】
【従来の技術】
図１０は、従来の無線センサシステムを構成する無線センサ通信機を示すブロック図である。
【０００３】
図１０において、４は後述の通信部５に接続され無線信号の送受信を行うアンテナ、５は管理対象機器の状態検知結果を無線信号によって通信する通信部、６は全体の制御を行うと共に後述の状態変動検知部２６の検知信号（状態検知結果を示す信号）から管理対象機器の状態を判定し、判定結果を通信部５へ状態検知結果として送出する制御部、７は通信機の動作に必要な情報としてのプログラムやデータなどを格納したメモリ部、２６は管理対象機器の状態を検知する状態変動検知部である。
【０００４】
このように構成された無線センサ通信機においては、状態変動検知部２６の検知信号から制御部６において管理対象機器の状態を判定し、判定した結果を通信部５、アンテナ４を介して通信する。例えばドアの開閉状態を管理する場合、状態変動検知部２６は、ドアの開閉状態を検知する赤外線センサや機構的な検知スイッチなどから成り、ドアの開閉状態を検知する機能を有する。状態変動検知部２６は、ドアが開いている場合はその旨の検知信号を送出し、その検知信号を受けとった制御部６では、ドアが開いているという状態検知結果を示す検知信号を通信部５へ出力し、通信部５ではドアが開いている旨の検知信号を無線信号としてアンテナ４を介して送信する。
【０００５】
図１１は、従来の無線センサシステムを構成する集中管理装置を示すブロック図である。
【０００６】
図１１において、１０は後述の通信部１１に接続され無線信号の送受信を行うアンテナ、１１は図１０の無線センサ通信機と通信方法を同じくし、無線センサ通信機と無線通信を行う通信部、１３は全体の制御を行うと共に通信部１１から受け取った検知信号から管理対象機器の状態を認識する制御部、１４は集中管理装置の動作に必要な情報としてのプログラムやデータなどを格納したメモリ部、１５は集中管理装置の操作を行う操作部、１６は制御部１３で認識した管理対象機器の状態検知結果を表示する表示部である。
【０００７】
このように構成された集中管理装置においては、アンテナ１０を介して図１０の無線センサ通信機より送信されてきた無線信号を受信し、受信された無線信号は通信部１１を介して検知信号に変換され、制御部１３は検知信号から管理対象機器の状態検知結果を認識し、認識した結果を表示部１６に表示する。例えば、ドアが開いているという情報を無線センサ通信機が無線検知信号として送信した場合、集中管理装置ではアンテナ１０を介して通信部１１にて無線検知信号を受信し、受信した無線検知信号から制御部１３にてドアが開いている旨の状態検知結果を受け取り、表示部１６に表示する。
【０００８】
更に、システム簡略化のため、図１０の無線センサ通信機の状態変動検知部２６を取り外し、アンテナ４を狭指向性アンテナとし、アンテナ４の指向性を図１１の集中管理装置の方向へ向け、集中管理装置では、アンテナ４からの無線信号の有無から状態を判定する簡易無線センサシステムも提案されている。
【０００９】
また、無線によるゲート監視システムとして、特許文献１に記載されたものがある。
【００１０】
【特許文献１】
特開平２−２２６３９５号公報
【００１１】
【発明が解決しようとする課題】
しかしながら、上記従来の前者の無線センサシステムでは、状態検知を行う状態変動検知部２６を有し、構成が複雑で高価格になってしまうという問題点を有していた。更に状態変動検知部２６を取り外して狭指向性アンテナとした後者の簡易無線センサシステムでは、アンテナを対向させなければならないなど、無線センサ通信機の設置場所や設置方法が制限され、使用方法が限定されてしまうという問題点を有していた。
【００１２】
この無線センサシステムでは、構成が簡単で低価格であり、無線センサ通信機の設置場所や設置方法の制限を大幅に解消することが要求されている。
【００１３】
本発明は、この要求を満たすため、無線センサ通信機の設置場所や設置方法の制限を大幅に解消することができる構成簡単で低価格の無線センサシステムを提供することを目的とする。
【００１４】
【課題を解決するための手段】
上記課題を解決するために本発明の無線センサシステムは、１つ又は複数の無線センサ通信機と集中管理装置とを有する無線センサシステムであって、無線センサ通信機は、無線信号の送受信を行う指向性アンテナと、無線信号によって通信を行う第１の通信部と、全体の制御を行う第１の制御部と、プログラムやデータを格納する第１のメモリ部とを有し、集中管理装置は、無線信号の送受信を行うアンテナと、無線センサ通信機と無線通信を行う第２の通信部と、第２の通信部で受信した無線信号の受信電力レベルを検知するレベル検知部と、全体の制御を行うと共にレベル検知部の受信電力レベルから無線センサ通信機の状態を認識する第２の制御部と、プログラムやデータを格納する第２のメモリ部と、第２の制御部で認識した管理対象機器の状態結果などを表示する表示部とを有し、第２の制御部は、レベル検知部の受信電力レベルが変化した時、無線センサ通信機は次の状態へ移行したと認識する構成を備えている。
【００１５】
これにより、無線センサ通信機の設置場所や設置方法の制限を大幅に解消することができる構成簡単で低価格の無線センサシステムが得られる。
【００１６】
【発明の実施の形態】
本発明の請求項１に記載の無線センサシステムは、１つ又は複数の無線センサ通信機と集中管理装置とを有する無線センサシステムであって、無線センサ通信機は、無線信号の送受信を行う指向性アンテナと、無線信号によって通信を行う第１の通信部と、全体の制御を行う第１の制御部と、プログラムやデータを格納する第１のメモリ部とを有し、集中管理装置は、無線信号の送受信を行うアンテナと、無線センサ通信機と無線通信を行う第２の通信部と、第２の通信部で受信した無線信号の受信電力レベルを検知するレベル検知部と、全体の制御を行うと共にレベル検知部の受信電力レベルから無線センサ通信機の状態を認識する第２の制御部と、プログラムやデータを格納する第２のメモリ部と、第２の制御部で認識した管理対象機器の状態結果などを表示する表示部とを有し、第２の制御部は、レベル検知部の受信電力レベルが変化した時、無線センサ通信機は次の状態へ移行したと認識することとしたものである。
【００１７】
この構成により、管理対象機器の状態の変化（例えば回転）に応じてレベル検知部の受信電力レベルが変化することとなり、第２の制御部は、レベル検知部の受信電力レベルが変化した時、無線センサ通信機は次の状態へ移行したと認識することができるので、構成簡単で低価格の無線センサシステムを実現することができ、設置場所や設置方法の制限を大幅に解消することができるという作用を有する。
【００１８】
請求項２に記載の無線センサシステムは、請求項１に記載の無線センサシステムにおいて、アンテナは偏波面の異なる複数のアンテナであり、複数のアンテナのそれぞれで受信を行い、第２の制御部は、複数のアンテナのそれぞれにおける受信電力レベルの変動から無線センサ通信機の状態を認識することとしたものである。
【００１９】
この構成により、複数のアンテナのそれぞれにおける受信電力レベルの変動から無線センサ通信機の状態を認識するようにしたので、１つのアンテナにおけるよりも確実に状態検知を行うことができるという作用を有する。
【００２０】
請求項３に記載の無線センサシステムは、請求項１に記載の無線センサシステムにおいて、無線センサ通信機は複数の状態を有し、第２の制御部は、無線センサ通信機の各状態における受信電力レベル検知結果を表示部に表示させることとしたものである。
【００２１】
この構成により、複数の状態を有する無線センサ通信機の各状態における受信電力レベル検知結果を表示部に表示させるようにしたので、より多くの状態の検知を行うことができるという作用を有する。
【００２２】
請求項４に記載の無線センサシステムは、請求項１に記載の無線センサシステムにおいて、集中管理装置は、無線センサ通信機の状態検知を開始または終了する切換スイッチを有し、第２の制御部は、切換スイッチが開始になっている場合にのみ無線センサ通信機からの受信電力レベルを検知することとしたものである。
【００２３】
この構成により、状態検知を行う際に人の動きなどによる受信電力レベルの変動の影響を取り除くことができる、すなわち集中管理装置における受信電力レベルの検知結果が人の動きなどの環境の変化で変動し、無線センサ通信機の状態を誤認識する可能性や、異常ではないにもかかわらず異常と誤認識する可能性を取り除くことができるという作用を有する。
【００２４】
請求項５に記載の無線センサシステムは、請求項４に記載の無線センサシステムにおいて、切換スイッチは、集中管理装置が配置された部屋の出入り口の鍵の閉、開に応じて開始、終了状態になることとしたものである。
【００２５】
この構成により、集中管理装置の置かれた部屋の鍵が開状態になっているときは集中管理装置の近傍に人が存在することを意味するので、そのような場合には状態検知を行わないようにすることができるので、状態検知を行う際に人の動きなどによる受信電力レベルの変動の影響を取り除くことができるという作用を有する。
【００２６】
請求項６に記載の無線センサシステムは、請求項１に記載の無線センサシステムにおいて、無線センサ通信機は、指向性固定のアンテナを有し、第１の通信部の送信出力レベルを複数段階に変動させることができる出力可変部と、管理対象機器の状態変動を検知する状態変動検知部とを備え、第１の制御部は、状態変動検知部での検知状態に応じて第１の通信部における送信出力レベルを変化させ、第２の制御部は、無線センサ通信機からの電波に対する受信電力レベルから管理対象機器の状態を認識することとしたものである。
【００２７】
この構成により、状態変動検知部での検知状態に応じて第１の通信部における送信出力レベルを変化させるようにしたので、管理対象機器の複数の状態変動の検知を行うことができるという作用を有する。
【００２８】
請求項７に記載の無線センサシステムは、請求項６に記載の無線センサシステムにおいて、状態変動検知部は、管理対象機器の電流値を検知し、検知した電流値に応じて第１の通信部における送信出力レベルを変化させ、第２の制御部は、無線センサ通信機からの電波に対する受信電力レベルから管理対象機器の状態を認識することとしたものである。
【００２９】
この構成により、管理対象機器の電流値の変動という状態変動の検知を行うことができるという作用を有する。
【００３０】
請求項８に記載の無線センサシステムは、請求項６に記載の無線センサシステムにおいて、状態変動検知部は、管理対象機器または管理対象機器周辺の温度値を検知し、検知した温度値に応じて第１の通信部における送信出力レベルを変化させ、第２の制御部は、無線センサ通信機からの電波に対する受信電力レベルから管理対象機器の状態を認識することとしたものである。
【００３１】
この構成により、管理対象機器の温度値または管理対象機器周辺の温度値の変動という状態変動の検知を行うことができるという作用を有する。
【００３２】
請求項９に記載の無線センサシステムは、請求項６に記載の無線センサシステムにおいて、状態変動検知部は、管理対象機器または管理対象機器周辺の光度値を検知し、検知した光度値によって第１の通信部における送信出力レベルを変化させ、第２の制御部は、無線センサ通信機からの電波に対する受信電力レベルから管理対象機器の状態を認識することとしたものである。
【００３３】
この構成により、管理対象機器の光度値または管理対象機器周辺の光度値の変動という状態変動の検知を行うことができるという作用を有する。
【００３４】
請求項１０に記載の無線センサシステムは、請求項６に記載の無線センサシステムにおいて、状態変動検知部は、管理対象機器または管理対象機器周辺の風量値を検知し、検知した風量値によって第１の通信部における送信出力レベルを変化させ、第２の制御部は、無線センサ通信機からの電波に対する受信電力レベルから管理対象機器の状態を認識することとしたものである。
【００３５】
この構成により、管理対象機器の風量値または管理対象機器周辺の風量値の変動という状態変動の検知を行うことができるという作用を有する。
【００３６】
請求項１１に記載の無線センサシステムは、請求項１乃至１０のいずれか１に記載の無線センサシステムにおいて、集中管理装置は、無線または有線によって使用環境外部へ管理状態を通信する外部通信部を有し、外部通信部は、使用環境外部へ管理状態結果を通信することができることとしたものである。
【００３７】
この構成により、使用環境外部からも管理状態（つまり検知した状態）を確認することができるという作用を有する。
【００３８】
請求項１２に記載の無線センサシステムは、請求項１乃至１０のいずれか１に記載の無線センサシステムにおいて、通信可能な表示装置を備え、集中管理装置は無線または有線によって他の場所へ管理状態を転送する外部通信部を有し、表示装置は、外部通信部によって転送されてきた管理状態を表示することとしたものである。
【００３９】
この構成により、使用環境出入り口などの他の場所でも管理状態（状態検知結果）を一目で確認することができるという作用を有する。
【００４０】
以下、本発明の実施の形態について、図１〜図９を用いて説明する。
【００４１】
（実施の形態１）
図１は、本発明の実施の形態１による無線センサシステムを示す構成図である。
【００４２】
図１において、１は通信機固有の識別符号などを送信する無線センサ通信機、２は指向性アンテナ（図示せず）により形成されたアンテナ指向性、３は無線センサ通信機１と通信方法を同じくする集中管理装置である。
【００４３】
このように構成された無線センサシステムについて、その動作を説明する。
【００４４】
無線センサ通信機１は、通信機固有の識別符号を送信し、指向性アンテナを介して、無線センサ通信機１と通信方法を同じくする集中管理装置３と通信を行う。ここで、無線センサ通信機１と集中管理装置３の通信同期確立のため、無線センサ通信機１は識別符号に加え、同期確立のための同期符号などを送信するのも有効である。集中管理装置３は、無線センサ通信機１からの受信電力レベルを検知し、無線センサ通信機１が状態１にある時、この時の無線センサ通信機１からの受信電力レベルと無線センサ通信機１の識別符号とを無線センサ通信機１の状態１として登録する。ここで、無線センサ通信機１が状態２へ移行した時、集中管理装置３で受信する無線センサ通信機１からの受信電力レベルが変化するため、集中管理装置３は無線センサ通信機１が状態２へ移行したと認識する。例えばドアの開閉状態管理に図１の無線センサシステムを導入した場合、ドアが閉じている状態を状態１として集中管理装置３に登録する。この時集中管理装置３で受信する無線センサ通信機１からの無線信号の受信電力レベルは小さいか又は受信不可の状態である。ここで、無線センサ通信機１からの無線信号の受信電力レベルが大きく増加するなど変動した時、ドアの状態が変動したと考えられる。そこで集中管理装置３は、ドアが状態２つまりドアが開いている状態に変動したと認識することができる。
【００４５】
図２は、図１の無線センサシステムを構成する無線センサ通信機１を示すブロック図である。
【００４６】
図２において、４は無線信号の送受信を行う指向性アンテナ、５は無線信号によって通信を行う通信部、６は無線センサ通信機１自体の制御を行う制御部、７は無線センサ通信機１の動作に必要な情報（プログラムやデータ）などを格納したメモリ部（第１のメモリ部）、８は無線センサ通信機１の操作を行う操作部、９は表示部である。操作部８や表示部９においては、必要に応じて機能追加すると有効である。
【００４７】
このように構成された無線センサ通信機１において、制御部６は、メモリ部７に格納している通信機固有の識別符号などを通信部５を介して無線信号に変換し、指向性アンテナ４を介して送信する。この様に無線センサ通信機１は簡易な構成で実現でき、更に間歇送受信で通信すれば良いので、無線センサ通信機１の消費電力もかなり小さくできる。
【００４８】
図３は、図１の無線センサシステムを構成する集中管理装置３を示すブロック図である。
【００４９】
図３において、１０は無線信号の送受信を行うアンテナである。アンテナ１０は無指向性アンテナとする方が効果的である。１１は無線センサ通信機１と通信方法を同じくし無線センサ通信機１と無線通信を行う通信部、１２は通信部１１で受信した無線信号の受信電力レベルを検知するレベル検知部、１３は集中管理装置３自体の制御やレベル検知部１２の受信電力レベルから無線センサ通信機１の状態を認識する処理を行う制御部、１４は集中管理装置３の動作に必要な情報（プログラムやデータ）などを格納したメモリ部（第２のメモリ部）、１５は集中管理装置３の操作を行う操作部、１６は制御部１３で認識した無線センサ通信機１の状態検知結果などを表示する表示部である。
【００５０】
このように構成された集中管理装置３について、その動作を説明する。
【００５１】
状態１において無線センサ通信機１より送信が開始された時、集中管理装置３は、アンテナ１０、通信部１１およびレベル検知部１２によって検知されるこの時の受信電力レベルを無線センサ通信機１の状態１として操作部１５、制御部１３を介してメモリ部１４に登録する。ここで、レベル検知部１２の受信電力レベルが予めメモリ部１４に登録した受信電力レベルと比べて大きく変動した時、制御部１３は、無線センサ通信機１が状態２に変動したと認識し、認識した結果を表示部１６へ表示する。例えば、ガスの元栓の開閉状態管理に図１〜図３の無線センサシステムを導入した場合、無線センサ通信機１は、通信機固有の識別符号などを間歇に送信しているのみである。はじめに元栓が閉じているとすると、集中管理装置３は、この時のレベル検知部１２の出力受信電力レベルを状態１としてメモリ部１４に格納する。ここで、元栓が開くと、レベル検知部１２の出力受信電力レベルは予め登録した状態１の時の受信電力レベルに比べ大きく変動するため、集中管理装置３は、この時をガスの元栓が開いている状態２と認識し、表示部１６に無線センサ通信機の状態２またはガスの元栓が開いている旨を表示する。ここで、スピーカ部を設けて状態が変動したときはアラーム音を発生するように設定するのも有効である。あるいは、予め状態２を異常として登録しておき、状態２においてアラーム音を発生するように設定するのも有効である。
【００５２】
更に、集中管理装置３は無線センサ通信機１との同期確立のための通信の送受信を必要としないので、無線センサ通信機１の通信部５は送信機のみの構成で実現でき、無線センサ通信機１の小型化、低消費電力化に有効である。
【００５３】
更に、集中管理装置３が複数の無線センサ通信機１を用いて複数の状態管理を行う場合、各通信機の識別符号を表示部１６へ表示し、使用者が任意に識別符号に対応した名前を付けることができるようにしておくのも有効である。例えば、識別符号１は窓１、識別符号２は窓２、識別符号３は車のドアなどとできるようにしておくと、使用者が無線センサ通信機１を判別するのが容易となる。
【００５４】
このような構成にすることにより、無線センサ通信機１は送信しているのみで設置場所や方法を選ばず、間歇送受信によって低消費電力化できるため電池駆動の小型化が実現でき、セキュリティシステムなどにおけるドアや栓などの開閉状態を容易に検知することができる無線センサシステムを実現することができる。
【００５５】
（実施の形態２）
図４は、本発明の実施の形態２による無線センサシステムを構成する集中管理装置を示すブロック図である。なお、本実施の形態による無線センサシステムの構成は図１と同様の構成であり、また無線センサ通信機の構成は図２と同様の構成である。
【００５６】
図４において、１７はある偏波面を有するアンテナ、１８はアンテナ１７とは異なる偏波面を有するアンテナである。例えば、アンテナ１７は垂直偏波のアンテナ、アンテナ１８は水平偏波のアンテナである。このほかに、円偏波のアンテナを組み合わせるのも有効である。１９はアンテナ１７またはアンテナ１８の選択を行うアンテナ切換スイッチであり、制御部１３によって選択される。状態１において無線センサ通信機１より送信が開始された時、制御部１３は先ず、アンテナ１７、通信部１１およびレベル検知部１２によって検知される受信電力レベルを無線センサ通信機１の状態１およびアンテナ１７の受信としてメモリ部１４に登録する。次に、アンテナ１８で無線センサ通信機１からの無線信号を受信した受信電力レベルを同様に無線センサ通信機１の状態１およびアンテナ１８の受信としてメモリ部１４に登録する。ここで、制御部１３においてアンテナ１７およびアンテナ１８のどちらかで受信した時の受信電力レベルが予めメモリ部１４に登録した受信電力レベルと比べて大きく変動した時、制御部１３は、無線センサ通信機１が状態２に変動したと認識し、認識した結果を表示部１６へ表示する。
【００５７】
このように、１つの偏波面アンテナを使用した時は状態１および状態２の無線センサ通信機１からの受信電力レベルが等しくなる可能性が考えられるが、偏波面の異なる複数のアンテナ１７、１８を用いることにより、より確実に状態検知を行うことができる無線センサシステムを実現することができる。ここで、アンテナ１７およびアンテナ１８の各々に通信部を設けても同様の効果を得ることができ有効である。
【００５８】
（実施の形態３）
本発明の実施の形態３による無線センサシステム、無線センサ通信機および集中管理装置の構成は、図１〜図３と同様の構成である。
【００５９】
このように構成された無線センサシステムについて、その動作を説明する。
【００６０】
集中管理装置３において、メモリ部１４は、複数の受信電力レベルを登録できるようにする。このようにすることで、無線センサ通信機１が複数の状態を有している場合であっても、メモリ部１４へも無線センサ通信機１の状態と同じく複数の受信電力レベルを登録することができる。例えば、無線センサ通信機１の回転角が０°（状態１）、３０°（状態２）、６０°（状態３）、９０°（状態４）であったり、窓がスライドしていくような場合、集中管理装置３におけるメモリ部１４へも複数の受信電力レベルを登録できるようにする。ここで、集中管理装置３の表示部１６では各状態の受信電力レベル検知結果を表示できるようにし、システム使用者は、表示部１６の受信電力レベル検知結果を見ながら状態登録を行う。例えば、状態２と状態３とが使用環境によっては同じ受信電力レベルとなる可能性が存在する。このような時システム使用者は、表示部１６の受信電力レベル検知結果を見ながら、状態２と状態３を同じ状態として登録し、無線センサ通信機１が４つの状態を有していても、集中管理装置３は３つの状態判別を行う。
【００６１】
このような構成にすることにより、より多くの状態の検知を行うことができる無線センサシステムを実現することができる。
【００６２】
（実施の形態４）
図５は、本発明の実施の形態４による無線センサシステムを示す構成図である。
【００６３】
図５において、無線センサ通信機１、アンテナ指向性２、集中管理装置３は図１と同様のものであり、２０は集中管理装置３に取り付けられたシステムの開始、終了の切換スイッチである。
【００６４】
このように構成された無線センサシステムについて、その動作を説明する。
【００６５】
集中管理装置３では、状態１にある無線センサ通信機１の受信電力レベルを予め登録している。ここで、切換スイッチ２０がシステム開始に切り換えられると集中管理装置３は、受信電力レベルの検知を開始し、集中管理装置３における受信電力レベルの検知結果が予め登録されたレベルより変動した時、集中管理装置３は無線センサ通信機１が状態２へ変動したと認識する。切換スイッチ２０がシステム終了に切り換えられた場合は、集中管理装置３における受信電力レベルの検知を終了する。
【００６６】
このような構成にすることにより、集中管理装置３における受信電力レベルの検知結果が人の動きなどの環境の変化で変動し、無線センサ通信機１が状態１にもかかわらず状態２と誤認識する可能性や、異常ではないにもかかわらず異常と誤認識する可能性を取り除くことができる無線センサシステムを実現することができる。更に、切換スイッチ２０を開始とした時、無線センサシステムはある一定の時間経過後から動作するようにしておくと有効である。例えば、窓やドアの開閉に図５の無線センサシステムを導入した場合、システムを開始とした後すぐにシステムが導入されると、人の動きなどの影響で無線センサ通信機１の受信電力レベルが変動し、システムが誤動作する可能性が考慮される。切換スイッチ２０を開始とした後、無線センサシステムがある一定の時間経過後から動作するようにしておくと、使用者が外出するまでの時間経過後からシステムが動作するようにできるため効果的である。
【００６７】
（実施の形態５）
本発明の実施の形態５による無線センサシステムの構成は、図５の構成と同様である。
【００６８】
このように構成された無線センサシステムの動作について、説明する。
【００６９】
図５の無線センサシステムの使用環境において、集中管理装置３に設置された切換スイッチ２０を集中管理装置３の部屋の出入り口の鍵部と連動させる。出入り口の鍵部と切換スイッチ２０との連動は、鍵部開閉を検知する鍵センサと切換スイッチ２０とを有線や他の無線システムで結合するのも有効であるし、また、無線センサ通信機１を適応するのも有効である。出入り口の鍵部が閉状態となったとき切換スイッチ２０は開始となり、無線センサシステムが動作し、窓やドア、栓などの状態管理を開始する。一方、出入り口の鍵部が開状態となったとき切換スイッチ２０は終了となり、無線センサシステムは動作完了し、窓やドア、栓などの状態管理を終了する。例えば、自宅に居ながら出入り口の鍵を閉じておくことも日常的に考慮されるため、更にシステムの開始／終了の切換スイッチを追加し、システムが開始と指示され、加えて出入り口の鍵部が閉状態というように、両方が成り立った時のみシステムが稼動するとしておくのも有効である。更に、出入り口の鍵が識別機能付カードなどのようにシステム使用者を判別できるシステムであれば、より強固なセキュリティシステムとなり有効である。例えば、窓の開閉状態の管理および玄関のセキュリティシステムに本実施の形態による無線センサシステムを導入した場合、セキュリティシステムが稼動状態と指示され、更にシステム使用者が玄関から外出し鍵を閉じた時、集中管理装置３は、無線センサ通信機１からの受信電力レベルの検知を開始する。ここで、窓に取り付けられた無線センサ通信機１からの受信電力レベルが変動した時、または識別機能付カードによって認識されない、つまりシステム使用者ではない者が玄関の鍵を開閉したことによって玄関に取り付けられた無線センサ通信機１からの受信電力レベルが変動した時など、集中管理装置３は異常と認識する。
【００７０】
このような構成にすることにより、状態管理を行う際に人の動きなどによるレベル変動の影響を使用者の動きに連動して取り除くことができ、使用者の室内利用状況に応じた無線センサシステムを実現することができる。
【００７１】
（実施の形態６）
図６は、本発明の実施の形態６による無線センサシステムを構成する無線センサ通信機１を示すブロック図である。なお、本実施の形態による無線センサシステムについては図７を用いて後述する。
【００７２】
図６において、通信部５、制御部６、メモリ部７、状態変動検知部２６は図１０と同様のものである。４Ａは指向性固定のアンテナ、２１は通信部５内に設けられ、送信出力のレベルを複数段階に可変することができる出力可変部である。
【００７３】
このように構成された無線センサ通信機１について、その動作を説明する。
【００７４】
メモリ部７は、状態変動検知部２６において検知される状態検知レベルと管理対象機器の状態との対応を予め登録しておく。状態変動検知部２６において管理対象機器の状態変動を検知すると、制御部６は、メモリ部７へ予め登録しておいた対応に基づいて、検知したレベルに応じた送信出力で通信部５、アンテナ４Ａを介して通信機固有の識別符号などを送信する。例えば、状態検知レベル１の時は管理対象機器は状態１で、この時は送信出力レベル１、状態検知レベル２の時は管理対象機器は状態２で、この時は送信出力レベル２、状態検知レベル３の時は管理対象機器は状態３で、この時は送信出力レベル３というように対応させる。
【００７５】
図７は、本発明の実施の形態６による無線センサシステムを示す構成図である。
【００７６】
図７において、無線センサ通信機１、状態変動検知部２６は図６と同様のものであり、集中管理装置３、レベル検知部１２は図３と同様のものである。２２は管理対象機器の状態が状態１の時の受信電力レベル、２３は管理対象機器の状態が状態２の時の受信電力レベルである。
【００７７】
このように構成された無線センサシステムについて、その動作を説明する。
【００７８】
無線センサ通信機１は、状態変動検知部２６で検知した状態検知レベルに応じた送信出力で無線信号を送信している。集中管理装置３は、アンテナ４Ａから送信される無線信号の受信電力レベルをレベル検知部１２にて検知する。ここで、集中管理装置３は、アンテナ４Ａから送信される無線信号の受信電力レベルと管理対象機器の状態との対応を予め登録しており、受信電力レベルの強弱によって管理対象機器の状態を認識する。例えば、集中管理装置３での受信電力レベルの検知結果が受信電力レベル２２であれば、集中管理装置３は、管理対象機器の状態が状態１であると認識し、その旨を表示する。集中管理装置３での受信電力レベルの検知結果が受信電力レベル２３であれば、集中管理装置３は、管理対象機器の状態が状態２であると認識し、その旨を表示する。
【００７９】
このような構成にすることにより、管理対象機器の状態の検知結果に応じて複数段階の状態検知を行うことができ、更に管理対象機器の状態が方向などの転換を伴わないような機器であっても状態管理が行える据え置きタイプのような無線センサシステムを実現することができる。
【００８０】
（実施の形態７）
本発明の実施の形態７による無線センサシステムの構成および無線センサ通信機の構成は、図７および図６の構成と同様である。
【００８１】
このように構成された無線センサシステムについて、その動作を説明する。
【００８２】
状態変動検知部２６は管理対象機器の電流値を検知することができ、検知した電流値と予めメモリ部７へ登録した状態との対応によって、制御部６は出力可変部２１を制御し、アンテナ４Ａから送信する無線信号の出力レベルを変動させる。集中管理装置３は、レベル検知部１２で検知する受信電力レベルの違いから、管理対象機器の状態を認識する。例えば、管理対象機器がエアコンである場合、エアコン稼動時はエアコンの消費電流が大きく、エアコンがオフ状態（非動作状態）の時の消費電流は極端に小さい。そこで、電流値が大きい時を状態１で送信レベル大、電流値が小さい時を状態２で送信レベル小と予め登録する。無線センサ通信機１は、状態変動検知部２６の状態検知結果が大きい時は、送信出力を大きくして無線センサ通信機１固有の識別符号を送信し、状態検知結果が小さい時は、送信出力を小さくして無線センサ通信機１固有の識別符号を送信する。集中管理装置３では、受信電力レベルが大きい時はエアコンは稼動状態であると認識し、受信電力レベルが小さい時はエアコンはオフ状態であると認識する。
【００８３】
このような構成にすることにより、管理対象機器の電流値の変動具合により状態検知を行うことができる無線センサシステムを実現することができる。
【００８４】
（実施の形態８）
本発明の実施の形態８による無線センサシステムの構成および無線センサ通信機の構成は、図７および図６の構成と同様である。
【００８５】
このように構成された無線センサシステムについて、その動作を説明する。
【００８６】
状態変動検知部２６は、管理対象機器または管理対象機器周辺の温度値を検知することができ、検知した温度値と予めメモリ部７へ登録した状態との対応によって、制御部６は出力可変部２１を制御し、アンテナ４Ａから送信する無線信号の出力レベルを変動させる。集中管理装置３は、レベル検知部１２で検知する受信電力レベルの違いから、管理対象機器の状態を認識する。例えば、管理対象機器がガス・ファンヒータである場合、ガス・ファンヒータ稼動時はガス・ファンヒータ前面の温度値が大きく、ガス・ファンヒータがオフ状態の時のガス・ファンヒータ前面の温度値は小さい。そこで、温度値が大きい時を状態１で送信レベル大、温度値が小さい時を状態２で送信レベル小と予め登録する。無線センサ通信機１は、状態変動検知部２６の状態検知結果が大きい時は、送信出力を大きくして無線センサ通信機１固有の識別符号を送信し、状態検知結果が小さい時は、送信出力を小さくして無線センサ通信機１固有の識別符号を送信する。集中管理装置３では、受信電力レベルが大きい時はガス・ファンヒータは稼動状態であると認識し、受信電力レベルが小さい時はガス・ファンヒータはオフ状態であると認識する。
【００８７】
このような構成にすることにより、管理対象機器または管理対象機器周辺の温度値の変動具合により状態検知を行うことができる無線センサシステムを実現することができる。更に、温度値の状態を複数段階で検知するようにすると、部屋の温度管理やお風呂のお湯の温度管理などにも利用でき効果的である。
【００８８】
（実施の形態９）
本発明の実施の形態９による無線センサシステムの構成および無線センサ通信機の構成は、図７および図６の構成と同様である。
【００８９】
このように構成された無線センサシステムについて、その動作を説明する。
【００９０】
状態変動検知部２６は、管理対象機器または管理対象機器周辺の光度値を検知することができ、検知した光度値と予めメモリ部７へ登録した状態との対応によって、制御部６は出力可変部２１を制御し、アンテナ４Ａから送信する無線信号の出力レベルを変動させる。集中管理装置３は、レベル検知部１２で検知する受信電力レベルの違いから、管理対象機器の状態を認識する。例えば、管理対象機器が炊飯器である場合、炊飯器稼動時は炊飯器の表示部が点灯して光度値が大きく、炊飯器がオフ状態の時は炊飯器の表示部は消灯して光度値は小さい。そこで、光度値が大きい時を状態１で送信レベル大、光度値が小さい時を状態２で送信レベル小と予め登録する。無線センサ通信機１は、状態変動検知部２６の状態検知結果が大きい時は送信出力を大きくして無線センサ通信機１固有の識別符号を送信し、状態検知結果が小さい時は送信出力を小さくして無線センサ通信機１固有の識別符号を送信する。集中管理装置３では、受信電力レベルが大きい時は炊飯器は稼動状態であると認識し、受信電力レベルが小さい時は炊飯器がオフ状態であると認識する。
【００９１】
このような構成にすることにより、管理対象機器または管理対象機器周辺の光度値の変動具合により状態検知を行うことができる無線センサシステムを実現することができる。
【００９２】
（実施の形態１０）
本発明の実施の形態１０による無線センサシステムの構成および無線センサ通信機の構成は、図７および図６の構成と同様である。
【００９３】
このように構成された無線センサシステムについて、その動作を説明する。
【００９４】
状態変動検知部２６は、管理対象機器または管理対象機器周辺の風量値を検知することができ、検知した風量値と予めメモリ部７へ登録した状態との対応によって、制御部６は出力可変部２１を制御し、アンテナ４Ａから送信する無線信号の出力レベルを変動させる。集中管理装置３は、レベル検知部１２で検知する受信電力レベルの違いから、管理対象機器の状態を認識する。例えば、管理対象機器が換気扇である場合、換気扇稼動時は風量値が大きく、換気扇がオフ状態の時は風量値が小さい。そこで風量値が大きい時を状態１で送信レベル大、風量値が小さい時を状態２で送信レベル小と予め登録する。無線センサ通信機１は、状態変動検知部２６の状態検知結果が大きい時は送信出力を大きくして無線センサ通信機１固有の識別符号を送信し、検知結果が小さい時は送信出力を小さくして無線センサ通信機１固有の識別符号を送信する。集中管理装置３では、受信電力レベルが大きい時は換気扇は稼動状態であると認識し、受信電力レベルが小さい時は換気扇はオフ状態であると認識する。
【００９５】
このような構成にすることにより、管理対象機器または管理対象機器周辺の風量値の変動具合により状態検知を行うことができる無線センサシステムを実現することができる。
【００９６】
（実施の形態１１）
図８は、本発明の実施の形態１１による無線センサシステムを構成する集中管理装置３を示すブロック図である。
【００９７】
図８において、アンテナ１０、通信部１１、レベル検知部１２、制御部１３、メモリ部１４、操作部１５、表示部１６は図３と同様のものである。２４は無線または有線によって集中管理装置３の外部へ管理状態（状態検知結果）を通信したり、外部から集中管理装置３を制御するための信号などを通信したりする外部通信部である。
【００９８】
このように構成された集中管理装置３について、その動作を説明する。
【００９９】
集中管理装置３を例えば構内ＬＡＮシステムへ接続する場合は、外部通信部２４をＬＡＮ通信部とし、電話回線へ接続する場合は外部通信部２４を回線部とすると有効である。制御部１３は、無線センサ通信機１からの無線信号をアンテナ１０、通信部１１を介して受信し、この時レベル検知部１２によって受信電力レベルを検知し、管理対象機器の状態を認識し、状態検知結果を表示部１６へ表示する。ここで、外部通信部２４から状態検知結果の通知要求があった場合、制御部１３は、上記状態検知結果を外部通信部２４から送信する。例えば、システム使用者が外出先から管理対象機器の状態を知りたい場合は外部通信部２４は回線部であって、システム使用者は、電話回線および回線部を介して制御部１３へ状態検知結果の通知要求を送信する。制御部１３は状態検知結果通知要求を受けてドアや栓の開閉状態などの結果を送信する。
【０１００】
このような構成にすることにより、システム使用環境外部からも管理状態を確認することができる無線センサシステムを実現することができる。更に、無線センサ通信機の機能をコードレス電話機の機能と同じくすると、コードレス電話機の機能を有すると共にシステム使用者が外出先からも管理状態を確認することができる無線センサ通信機を実現することができる。
【０１０１】
（実施の形態１２）
図９は、本発明の実施の形態１２による無線センサシステムを示す構成図である。
【０１０２】
図９において、無線センサ通信機１の構成は図６の無線センサ通信機と同様の構成であり、集中管理装置３の構成は図８の集中管理装置と同様の構成である。２５は集中管理装置３の外部通信部２４と通信方法を同じくする通信部を有し、管理状態の結果を集中管理装置３より受信し、管理状態の結果を表示する表示装置である。ここで外部通信部２４と表示装置２５の接続方法は無線でも有線でも有効である。
【０１０３】
このように構成された無線センサシステムについて、その動作を説明する。
【０１０４】
無線センサ通信機１からの受信電力レベルの変動によって管理対象機器の状態を認識した集中管理装置３は、状態検知結果を集中管理装置３自体の表示部１６へ表示するのと同時に外部通信部２４へも転送し、表示装置２５は、外部通信部２４より受け取った状態検知結果を表示する。例えば、無線センサシステムが窓や栓の状態管理を行うシステムであるとすると、表示装置２５を玄関先へ配置すれば、システム使用者は外出時に一目で窓や栓の管理状態を知ることができる。
【０１０５】
このような構成にすることにより、システム使用環境出入り口などの他の場所でも管理状態を一目で確認できる無線センサシステムを実現することができる。
【０１０６】
【発明の効果】
以上説明したように本発明の請求項１に記載の無線センサシステムによれば、１つ又は複数の無線センサ通信機と集中管理装置とを有する無線センサシステムであって、無線センサ通信機は、無線信号の送受信を行う指向性アンテナと、無線信号によって通信を行う第１の通信部と、全体の制御を行う第１の制御部と、プログラムやデータを格納する第１のメモリ部とを有し、集中管理装置は、無線信号の送受信を行うアンテナと、無線センサ通信機と無線通信を行う第２の通信部と、第２の通信部で受信した無線信号の受信電力レベルを検知するレベル検知部と、全体の制御を行うと共にレベル検知部の受信電力レベルから無線センサ通信機の状態を認識する第２の制御部と、プログラムやデータを格納する第２のメモリ部と、第２の制御部で認識した管理対象機器の状態結果などを表示する表示部とを有し、第２の制御部は、レベル検知部の受信電力レベルが変化した時、無線センサ通信機は次の状態へ移行したと認識することにより、管理対象機器の状態の変化に応じてレベル検知部の受信電力レベルが変化することとなり、第２の制御部は、レベル検知部の受信電力レベルが変化した時、無線センサ通信機は次の状態へ移行したと認識することができるので、構成簡単で低価格の無線センサシステムを実現することができると共に、無線センサ通信機は指向性アンテナの指向性を変化させるだけでよいので、設置場所や設置方法の制限を大幅に解消することができるという有利な効果が得られる。
【０１０７】
請求項２に記載の無線センサシステムによれば、請求項１に記載の無線センサシステムにおいて、アンテナは偏波面の異なる複数のアンテナであり、複数のアンテナのそれぞれで受信を行い、第２の制御部は、複数のアンテナのそれぞれにおける受信電力レベルの変動から無線センサ通信機の状態を認識することにより、複数のアンテナのそれぞれにおける受信電力レベルの変動から無線センサ通信機の状態を認識するようにしたので、１つのアンテナにおけるよりも確実に状態検知を行うことができるという有利な効果が得られる。
【０１０８】
請求項３に記載の無線センサシステムによれば、請求項１に記載の無線センサシステムにおいて、無線センサ通信機は複数の状態を有し、第２の制御部は、無線センサ通信機の各状態における受信電力レベル検知結果を表示部に表示させることにより、複数の状態を有する無線センサ通信機の各状態における受信電力レベル検知結果を表示部に表示させるようにしたので、より多くの状態の検知を行うことができるという有利な効果が得られる。
【０１０９】
請求項４に記載の無線センサシステムによれば、請求項１に記載の無線センサシステムにおいて、集中管理装置は、無線センサ通信機の状態検知を開始または終了する切換スイッチを有し、第２の制御部は、切換スイッチが開始になっている場合にのみ無線センサ通信機からの受信電力レベルを検知することにより、状態検知を行う際に人の動きなどによる受信電力レベルの変動の影響を取り除くことができる、すなわち集中管理装置における受信電力レベルの検知結果が人の動きなどの環境の変化で変動し、無線センサ通信機の状態を誤認識する可能性や、異常ではないにもかかわらず異常と誤認識する可能性を取り除くことができるという有利な効果が得られる。
【０１１０】
請求項５に記載の無線センサシステムによれば、請求項４に記載の無線センサシステムにおいて、切換スイッチは、集中管理装置が配置された部屋の出入り口の鍵の閉、開に応じて開始、終了状態になることにより、集中管理装置の置かれた部屋の鍵が開状態になっているときは集中管理装置の近傍に人が存在することを意味するので、そのような場合には状態検知を行わないようにすることができるので、状態検知を行う際に人の動きなどによる受信電力レベルの変動の影響を取り除くことができるという有利な効果が得られる。
【０１１１】
請求項６に記載の無線センサシステムによれば、請求項１に記載の無線センサシステムにおいて、無線センサ通信機は、指向性固定のアンテナを有し、第１の通信部の送信出力レベルを複数段階に変動させることができる出力可変部と、管理対象機器の状態変動を検知する状態変動検知部とを備え、第１の制御部は、状態変動検知部での検知状態に応じて第１の通信部における送信出力レベルを変化させ、第２の制御部は、無線センサ通信機からの電波に対する受信電力レベルから管理対象機器の状態を認識することにより、状態変動検知部での検知状態に応じて第１の通信部における送信出力レベルを変化させるようにしたので、管理対象機器の複数の状態変動の検知を行うことができるという有利な効果が得られる。
【０１１２】
請求項７に記載の無線センサシステムによれば、請求項６に記載の無線センサシステムにおいて、状態変動検知部は、管理対象機器の電流値を検知し、検知した電流値に応じて第１の通信部における送信出力レベルを変化させ、第２の制御部は、無線センサ通信機からの電波に対する受信電力レベルから管理対象機器の状態を認識することにより、管理対象機器の電流値の変動という状態変動の検知を行うことができるという有利な効果が得られる。
【０１１３】
請求項８に記載の無線センサシステムによれば、請求項６に記載の無線センサシステムにおいて、状態変動検知部は、管理対象機器または管理対象機器周辺の温度値を検知し、検知した温度値に応じて第１の通信部における送信出力レベルを変化させ、第２の制御部は、無線センサ通信機からの電波に対する受信電力レベルから管理対象機器の状態を認識することにより、管理対象機器の温度値または管理対象機器周辺の温度値の変動という状態変動の検知を行うことができるという有利な効果が得られる。
【０１１４】
請求項９に記載の無線センサシステムによれば、請求項６に記載の無線センサシステムにおいて、状態変動検知部は、管理対象機器または管理対象機器周辺の光度値を検知し、検知した光度値によって第１の通信部における送信出力レベルを変化させ、第２の制御部は、無線センサ通信機からの電波に対する受信電力レベルから管理対象機器の状態を認識することにより、管理対象機器の光度値または管理対象機器周辺の光度値の変動という状態変動の検知を行うことができるという有利な効果が得られる。
【０１１５】
請求項１０に記載の無線センサシステムによれば、請求項６に記載の無線センサシステムにおいて、状態変動検知部は、管理対象機器または管理対象機器周辺の風量値を検知し、検知した風量値によって第１の通信部における送信出力レベルを変化させ、第２の制御部は、無線センサ通信機からの電波に対する受信電力レベルから管理対象機器の状態を認識することにより、管理対象機器の風量値または管理対象機器周辺の風量値の変動という状態変動の検知を行うことができるという有利な効果が得られる。
【０１１６】
請求項１１に記載の無線センサシステムによれば、請求項１乃至１０のいずれか１に記載の無線センサシステムにおいて、集中管理装置は、無線または有線によって使用環境外部へ管理状態を通信する外部通信部を有し、外部通信部は、使用環境外部へ管理状態結果を通信することができることにより、使用環境外部からも管理状態（つまり検知した状態）を確認することができるという有利な効果が得られる。
【０１１７】
請求項１２に記載の無線センサシステムによれば、請求項１乃至１０のいずれか１に記載の無線センサシステムにおいて、通信可能な表示装置を備え、集中管理装置は無線または有線によって他の場所へ管理状態を転送する外部通信部を有し、表示装置は、外部通信部によって転送されてきた管理状態を表示することにより、使用環境出入り口などの他の場所でも管理状態（状態検知結果）を一目で確認することができるという有利な効果が得られる。
【図面の簡単な説明】
【図１】本発明の実施の形態１による無線センサシステムを示す構成図
【図２】図１の無線センサシステムを構成する無線センサ通信機を示すブロック図
【図３】図１の無線センサシステムを構成する集中管理装置を示すブロック図
【図４】本発明の実施の形態２による無線センサシステムを構成する集中管理装置を示すブロック図
【図５】本発明の実施の形態４による無線センサシステムを示す構成図
【図６】本発明の実施の形態６による無線センサシステムを構成する無線センサ通信機を示すブロック図
【図７】本発明の実施の形態６による無線センサシステムを示す構成図
【図８】本発明の実施の形態１１による無線センサシステムを構成する集中管理装置を示すブロック図
【図９】本発明の実施の形態１２による無線センサシステムを示す構成図
【図１０】従来の無線センサシステムを構成する無線センサ通信機を示すブロック図
【図１１】従来の無線センサシステムを構成する集中管理装置を示すブロック図
【符号の説明】
１  無線センサ通信機
２  アンテナ指向性
３  集中管理装置
４  指向性アンテナ
４Ａ、１０、１７、１８  アンテナ
５  通信部（第１の通信部）
６  制御部（第１の制御部）
７  メモリ部（第１のメモリ部）
８、１５  操作部
９、１６  表示部
１１  通信部（第２の通信部）
１２  レベル検知部
１３  制御部（第２の制御部）
１４  メモリ部（第２のメモリ部）
１９  アンテナ切換スイッチ
２０  切換スイッチ
２１  出力可変部
２４  外部通信部
２５  表示装置
２６  状態変動検知部
【図１】
2004185383.tif 000003
【図２】
2004185383.tif 000004
【図３】
2004185383.tif 000005
【図４】
2004185383.tif 000006
【図５】
2004185383.tif 000007
【図６】
2004185383.tif 000008
【図７】
2004185383.tif 000009
【図８】
2004185383.tif 000010
【図９】
2004185383.tif 000011
【図１０】
2004185383.tif 000012
【図１１】
2004185383.tif 000013